(57)【要約】【課題】表示装置の画面に遠隔で信号を入力することができる遠隔信号入力システム及びこれに含まれた表示装置及び送信装置を提供する。【解決手段】遠隔信号入力システムは、信号光を発生させる送信装置と、及び信号光をセンシングする複数個のセンサーを含む表示パネルを含む。送信装置から出射される信号光によって、表示パネルを含む表示装置に位置信号を入力することができる。【選択図】図１
2011530852.tif 000002
【特許請求の範囲】
【請求項１】
信号光を発生させる送信装置と、及び
前記信号光をセンシングする複数個のセンサーを含む表示パネルと、を含むことを特徴とする遠隔信号入力システム。
【請求項２】
前記信号光は、モジュレーションされたレーザーであることを特徴とする請求項１に記載の遠隔信号入力システム。
【請求項３】
前記送信装置は、第１信号光及び第２信号光を発生させることを特徴とする請求項１に記載の遠隔信号入力システム。
【請求項４】
前記第１信号光は、モジュレーションされた可視光線レーザーであり、前記第２信号光は、モジュレーションされた赤外線レーザーであることを特徴とする請求項３に記載の遠隔信号入力システム。
【請求項５】
前記表示パネルは、
第１方向に配置される電源配線と、及び
前記電源配線に交差して配置される複数個のリードアウト配線を含んで、
前記センサーは、前記電源配線及び前記リードアウト配線が交差する領域に配置されるフォト薄膜トランジスターであることを特徴とする請求項１に記載の遠隔信号入力システム。
【請求項６】
送信装置から発生する信号光をセンシングする複数個のセンサーを含む表示パネルと、及び
前記センサーから出力されるセンシング信号の入力を受けて、前記送信装置から送信された信号を検出する検出部と、を含むことを特徴とする表示装置。
【請求項７】
前記表示パネルは、
前記センサーにそれぞれ電源を供給して、お互いに並んで配置される電源配線と、及び
前記センサーから信号を出力して、前記電源配線と交差する出力配線を含むことを特徴とする請求項６に記載の表示装置。
【請求項８】
前記信号光は、モジュレーションされたレーザーであることを特徴とする請求項６に記載の表示装置。
【請求項９】
前記センシング信号は、前記信号光のモジュレーション周波数に対応する周波数を有することを特徴とする請求項８に記載の表示装置。
【請求項１０】
前記信号光は、主波長領域がお互いに違う第１信号光及び第２信号光を含んで、
前記センサーは前記第１信号光をセンシングするための第１センサー及び前記第２信号光をセンシングするための第２センサーを含むことを特徴とする請求項６に記載の表示装置。
【請求項１１】
前記第１信号光は、可視光線レーザーであり、前記第２信号光は赤外線レーザーであることを特徴とする請求項１０に記載の表示装置。
【請求項１２】
前記センサー上に配置される所定の波長領域の光を通過させるフィルターを含むことを特徴とする請求項６に記載の表示装置。
【請求項１３】
信号光を発生させる光源と、及び
前記信号光を形成するために、前記光源を駆動する駆動部と、を含むことを特徴とする送信装置。
【請求項１４】
前記光源はレーザーダイオードであり、前記信号光はモジュレーションされたレーザーであることを特徴とする請求項１３に記載の送信装置。
【請求項１５】
前記光源は、可視光線レーザーを発生させる第１光源及び赤外線レーザーを発生させる第２光源を含むことを特徴とする請求項１４に記載の送信装置。
【請求項１６】
前記駆動部は、選択的にモジュレーションされたレーザーを発生させるように前記光源を駆動することを特徴とする請求項１４に記載の送信装置。
【発明の詳細な説明】
【技術分野】
【０００１】
本発明は、送信装置、表示装置及び遠隔信号入力システムに関するものである。
【背景技術】
【０００２】
情報処理技術が発達することによって、映像が表示される画面に直接信号を入力することができるグラフィックユーザーインターフェース(graphic user interface)技術が発展している。
【発明の概要】
【発明が解決しようとする課題】
【０００３】
本発明の目的は、表示装置の画面に遠隔で信号を入力することができる遠隔信号入力システム及びこれに含まれた表示装置及び送信装置を提供することにある。
【課題を解決するための手段】
【０００４】
本発明に従う遠隔信号入力システムは、信号光を発生させる送信装置と、及び前記信号光をセンシングする複数個のセンサーを含む表示パネルを含む。
【０００５】
また、本発明に従う表示装置は、送信装置から発生する信号光をセンシングする複数個のセンサーを含む表示パネルと、及び前記センサーから出力されるセンシング信号の入力を受けて、前記送信装置から送信された信号を検出する検出部と、を含む。
【０００６】
また、本発明に従う送信装置は、信号光を発生させる光源と、及び前記信号光を形成するために、前記光源を駆動する駆動部と、を含む。
【発明の効果】
【０００７】
本発明に従う送信装置から出射される信号光は、表示パネルの所定の位置に照査される。この時、表示パネルに含まれたセンサーらのうちで照査された位置に対応するセンサーらを通じて、信号光による電気的な信号をセンシングして、本発明に従う表示装置は照査された位置の入力を受けることができる。
【０００８】
したがって、本発明に従う遠隔信号入力システムは、表示装置に遠隔で位置信号が入力されることができるようにする。
【０００９】
また、信号光でモジュレーションされたレーザーを使って、外部光及び/またはバックライト光による干渉を防止することができる。
【００１０】
また、信号光で可視光線を使えば、使用者は信号が入力される位置を視覚で識別することができる。
【図面の簡単な説明】
【００１１】
【図１】本発明の実施形態に従う遠隔信号入力システムを示した斜視図である。
【図２】本発明の実施形態に従う送信装置を示した回路図である。
【図３】モジュレーションされたレーザーの波形を示した波形図である。
【図４】本発明の実施形態に従う表示装置のピクセルを示した平面図である。
【図５】本発明の実施形態に従う表示パネルの一部を示した回路図である。
【図６】本発明の実施形態に従う表示パネルの一断面を示した断面図である。
【図７】本発明の他の実施形態に従う送信装置を示した回路図である。
【図８】本発明の他の実施形態に従う液晶パネルのピクセルを示した平面図である。
【図９】本発明の他の実施形態に従う表示パネルの一断面を示した断面図である。
【発明を実施するための形態】
【００１２】
本発明を説明するに当たって、各パネル、部材、部、膜、基板または電極などが各パネル、部材、部、膜、基板または電極などの「上(on)」にまたは「下(under)」に形成されることと記載する場合において、「上(on)」と「下(under)」は「直接(directly)」または「他の構成要素を介して(indirectly)」形成されることをすべて含む。また、各構成要素の上または下部に対する基準は図面を基準で説明する。図面での各構成要素の大きさは説明のために誇張されることがあるし、実際に適用される大きさを意味することではない。
【００１３】
図１は、本発明の実施形態に従う遠隔信号入力システムを示した斜視図である。図２は、本発明の実施形態に従う送信装置を示した回路図である。図３は、モジュレーションされたレーザーの波形を示した波形図である。図４は、本発明の実施形態に従う表示装置のピクセルを示した平面図である。図５は、本発明の実施形態に従う表示パネルの一部を示した回路図である。図６は、本発明の実施形態に従う表示パネルの一断面を示した断面図である。
【００１４】
図１を参照すれば、遠隔信号入力システムは、送信装置１０及び表示装置２０を含む。
【００１５】
前記送信装置１０から信号光が出射されて、表示パネル４００に入射される。前記表示装置２０は前記信号光をセンシングして、前記信号光が照査された位置を入力することができる。この時、前記信号光はモジュレーションされたレーザー(ＭＬ)である。
【００１６】
図２を参照すれば、前記送信装置１０はレーザーダイオード１００、駆動部２００、第１ボタン３１０及び第２ボタン３２０を含む。
【００１７】
前記レーザーダイオード１００は、可視光線レーザーを発生させる。前記レーザーダイオード１００は前記駆動部２００によって駆動される。
【００１８】
前記駆動部２００は、前記レーザーダイオード１００を駆動する。前記駆動部２００は電源部２１０、オシレーター２２０、ドライバー２３０、スイチング素子ＳＷ及びトランジスターＴＲを含む。
【００１９】
前記電源部２１０は、前記レーザーダイオード１００に電源を供給する。さらに詳しくは、前記電源部２１０は前記スイチング素子ＳＷ及び前記トランジスターＴＲによって選択的に前記レーザーダイオード１００に電源を供給する。
【００２０】
前記オシレーター２２０は内部の基準で一定な周波数を有するクロック信号を生成する。前記クロック信号は前記ドライバー２３０に供給される。
【００２１】
前記ドライバー２３０は、前記クロック信号を基礎で前記トランジスターＴＲを駆動するための駆動信号を生成する。この時、前記ドライバー２３０は前記第１ボタン３１０によって入力された信号によってターン-オンまたはターン-オフされる。
【００２２】
前記スイチング素子ＳＷは、前記第２ボタン３２０によって入力された信号によってターン-オンまたはターン-オフされる。すなわち、前記スイチング素子ＳＷがターン-オフされれば、前記レーザーダイオード１００はターン-オフされる。これによって、前記レーザーダイオード１００でレーザーが発生しない。
【００２３】
前記トランジスターＴＲは前記ドライバー２３０から印加される駆動信号によって、ターン-オン及びターン-オフ動作を速く繰り返す。前記トランジスターＴＲの動作によって、前記レーザーダイオード１００は早くターン-オンまたはターン-オフされて、所定の周波数を有するモジュレーションされたレーザー(ＭＬ)を発生させる。
【００２４】
この時、前記モジュレーションされたレーザー(ＭＬ)の周波数は、おおよそ１０ないし２０ＭＨｚである。
【００２５】
前記第１ボタン３１０は使用者の操作によって、前記ドライバー２３０をターン-オンまたはターン-オフさせる。前記第２ボタン３２０は使用者の操作によって、前記スイチング素子ＳＷをターン-オンまたはターン-オフさせる。
【００２６】
すなわち、前記第１ボタン３１０を通じて、前記ドライバー２３０がターン-オンされると、前記ドライバー２３０は前記トランジスターＴＲを速くターン-オン及びターン-オフ動作を繰り返しさせる。これによって、前記レーザーダイオード１００ではモジュレーションされたレーザー(ＭＬ)が発生する。
【００２７】
図３を参照すれば、例えば、前記モジュレーションされたレーザー(ＭＬ)は、所定の強さを有するレーザー及び強さが０であるレーザーが繰り返される波形を有することができる。
【００２８】
前記第１ボタン３１０によって、前記送信装置１０はモジュレーションされたレーザー(ＭＬ)の発生可否を決めることができる。
【００２９】
また、前記第２ボタン３２０を通じて、前記スイチング素子ＳＷがターン-オンされると、前記レーザーダイオード１００に電源が供給される。しかし、前記スイチング素子ＳＷがターン-オフされれば、前記ドライバー２３０の動作に構わなく、前記レーザーダイオード１００に電源が供給されない。
【００３０】
前記第２ボタン３２０によって、前記送信装置１０はレーザーの発生可否を決めることができる。
【００３１】
前記表示装置２０は映像を表示して、映像が表示される画面を通じて、前記送信装置１０からの信号を受信する。詳しくは、前記表示装置２０は前記送信装置１０から照査された信号光を、前記画面を通じて受信する。
【００３２】
さらに詳しくは、前記表示装置２０は、前記送信装置１０から照査されたモジュレーションされたレーザー(ＭＬ)を、前記画面を通じて受信する。
【００３３】
前記表示装置２０は、表示パネル４００及び検出部５００を含む。また、前記表示装置２０は前記表示パネル４００を駆動するための素子らをさらに含むことができる。
【００３４】
図４を参照すれば、前記表示パネル４００は映像を表示して、内側に前記モジュレーションされたレーザー(ＭＬ)をセンシングするセンサーら４１０を内蔵する。前記表示パネル４００はプレート形状を有する。前記表示パネル４００は複数個のピクセルＰで構成されて、前記ピクセルＰは三つのサブピクセルＳＰで構成される。
【００３５】
この時、前記センサーら４１０は、一つのピクセルに二つが配置されることができるし、多数個のピクセル当り一つまたは二つが配置されることができる。すなわち、前記センサーら４１０はピクセルらＰのうち一部のピクセルらに配置されることができる。
【００３６】
前記センサーら４１０は、光の入射を受けて電流を生成させるフォトダイオードまたはフォトＴＦＴ４１０であることができる。
【００３７】
図５及び図６を参照すれば、前記表示パネル４００は上部基板４２０、下部基板４３０、液晶層４５０、ゲート４１１配線(ＧＬｎ)、データ配線(ＤＬｎ)、スイチング薄膜トランジスター(以下、スイチングＴＦＴ(ＳＷ ＴＦＴ))、画素電極及び共通電極(ＣＬＣ)、第１電源配線(ＶＬ１)、第２電源配線(ＶＬ２)、リードアウト配線(ＲｏＬ)及びフォト薄膜トランジスター(以下、フォトＴＦＴ)４１０を含む。
【００３８】
前記上部基板４２０及び前記下部基板４３０はお互いに対向されて、透明で絶縁体である。前記上部基板４２０及び前記下部基板４３０で使用される物質の例としては硝子、石英またはプラスチックなどを挙げることができる。
【００３９】
前記液晶層４５０は、前記上部基板４２０及び前記下部基板４３０の間に介される。前記液晶層４５０は前記画素電極及び前記共通電極(ＣＬＣ)の間に形成される電界によって
、整列して、通過する光の強さを調節する。
【００４０】
前記ゲート４１１配線(ＧＬｎ)は、前記上部基板４２０及び前記下部基板４３０の間に介される。さらに詳しくは、前記下部基板４３０上に配置される。前記ゲート４１１配線(ＧＬｎ)は、第１方向に複数個がお互いに並んで延長される。前記ゲート４１１配線(ＧＬｎ)を通じて、前記スイチングＴＦＴ(ＳＷ ＴＦＴ)に前記スイチングＴＦＴ(ＳＷ ＴＦＴ)をスイチングするためのゲート４１１信号が印加される。
【００４１】
前記データ配線(ＤＬｎ)は、前記ゲート４１１配線(ＧＬｎ)と交差して、第２方向に複数個がお互いに並んで延長される。前記データ配線(ＤＬｎ)を通じて、前記スイチングＴＦＴ(ＳＷ ＴＦＴ)の動作によって、前記画素電極にデータ信号が印加される。
【００４２】
前記スイチングＴＦＴ(ＳＷ ＴＦＴ)は、前記データ配線(ＤＬｎ)ら及び前記ゲート４１１配線(ＧＬｎ)らが交差する領域に配置される。前記スイチングＴＦＴ(ＳＷ ＴＦＴ)は前記ゲート４１１信号によってターン-オンまたはターン-オフされる。これによって、前記スイチングＴＦＴ(ＳＷ ＴＦＴ)は前記データ信号を前記画素電極に選択的に印加する。
【００４３】
前記画素電極及び共通電極(ＣＬＣ)は、前記上部基板４２０及び前記下部基板４３０の間に介される。前記画素電極及び共通電極(ＣＬＣ)は、前記データ信号及び共通電圧(ＶＣＯＭ)によって電界を形成する。この時、形成された電界は前記液晶層４５０を整列させる。
【００４４】
前記第１電源配線(ＶＬ１)は前記上部基板４２０及び前記下部基板４３０の間に介される。前記第１電源配線(ＶＬ１)は複数個が並んで延長される。前記第１電源配線(ＶＬ１)はバイアス電圧を前記フォトＴＦＴ４１０に供給する。
【００４５】
前記第１電源配線(ＶＬ１)は前記ゲート４１１配線(ＧＬｎ)と並んで配置されて、前記ゲート４１１配線(ＧＬｎ)のようなレイヤードに形成されることができる。すなわち、前記第１電源配線(ＶＬ１)は、前記ゲート４１１配線(ＧＬｎ)と同時に形成されることができる。
【００４６】
前記第２電源配線(ＶＬ２)は、前記第１電源配線(ＶＬ１)と並んで延長されて、外部から提供されるオフレベルの電圧を前記フォトＴＦＴ４１０に提供する。
【００４７】
前記フォトＴＦＴ４１０は前記第１電源配線(ＶＬ１)と前記第２電源配線によって定義される領域に形成される。さらに詳しくは、前記フォトＴＦＴ４１０は前記第１電源配線(ＶＬ１)及び前記第２電源配線が交差する領域に形成されることができる。
【００４８】
前記フォトＴＦＴ４１０は、ソース４１４、ドレイン４１５、アクティブ層４１２及びゲート４１１を含む。また、前記アクティブ層４１２と前記ソース４１４との間及び前記アクティブ層４１２と前記ドレイン４１５との間にはオーミック接触層４１３が形成される。
【００４９】
前記ソース４１４は、前記第１電源配線(ＶＬ１)と連結されて、前記ドレイン４１５は前記リードアウト配線(ＲｏＬ)と連結される。また、前記ソース４１４及び前記ドレイン４１５はお互いに離隔される。
【００５０】
前記アクティブ層４１２は前記ソース４１４及び前記ドレイン４１５の下に配置される。前記ゲート４１１は前記アクティブ層４１２の下に配置されて、前記第２電源配線(ＶＬ２)と連結される。
【００５１】
前記フォトＴＦＴ４１０は、前記アクティブ層４１２に外部光が入射されることによって、光電流(Photo Current)を、ドレイン４１５を通じて、リードアウト配線(ＲｏＬ)に提供する。前記光電流は一種の光感知信号として、該当位置(Ｘ、Ｙ)に対応する情報である。
【００５２】
前記リードアウト配線(ＲｏＬ)は、第２方向に延長されて、前記ドレイン４１５を通じて出力される光感知信号を検出部５００に出力する。
【００５３】
前記ゲート４１１にはオフレベルの電圧が印加されて、ソース４１４には一定レベルのバイアス電圧が印加される。また、前記アクティブ層４１２に外部光が印加されることによって、ドレイン４１５を通じて光感知信号が出力される。
【００５４】
前記バイアス電圧は、任意のピクセルＰに形成された前記アクティブ層４１２を通じて流れる光電流を検出するためである。
【００５５】
例えば、前記アクティブ層４１２に外部光が印加されない状態では、前記ソース４１４に前記バイアス電圧が印加されても前記アクティブ層４１２を通じる光電流は発生されない。
【００５６】
しかし、前記アクティブ層４１２に外部光が印加される状態で、前記ソース４１４に前記バイアス電圧が印加されることによって、前記アクティブ層４１２を通じる光電流が発生される。これによってリードアウト配線(ＲｏＬ)に電荷が充電されて電圧変化を誘発する。前記リードアウトラインの終端に連結された検出部５００に光感知信号が出力される。
【００５７】
前記フォトＴＦＴ４１０は前記送信装置１０から照査される信号光、すなわち、前記モジュレーションされたレーザー(ＭＬ)をセンシングすることができる。すなわち、前記フォトＴＦＴ４１０は前記モジュレーションされたレーザー(ＭＬ)をセンシングするセンサーである。
【００５８】
前記検出部５００は、前記リードアウト配線(ＲｏＬ)から出力される光感知信号の入力を受けて解釈する。また、前記検出部５００は前記モジュレーションされたレーザー(ＭＬ)によって形成された光感知信号(以下、入力信号)を検出する。
【００５９】
前記入力信号は前記モジュレーションされたレーザー(ＭＬ)の周波数に対応する周波数を有するようになって、前記検出部５００は前記光感知信号の周波数を分析して、前記入力信号を検出することができる。
【００６０】
結局、前記入力信号は前記送信装置１０から前記表示装置２０に伝送される信号である。この時、前記検出部５００は前記光感知信号で前記入力信号を検出する。
【００６１】
また、前記検出部５００は前記入力信号を検出して、前記モジュレーションされたレーザー(ＭＬ)が照査された領域に対応するフォトＴＦＴ４１０らの位置(Ｘ、Ｙ)を分析することができる。
【００６２】
したがって、前記検出部５００は、前記モジュレーションされたレーザー(ＭＬ)が照査される位置(Ｘ、Ｙ)を検出することができる。
【００６３】
本発明の実施形態に従う遠隔信号入力システムによって、前記表示装置２０に信号が入力される過程を説明すれば次のようである。
【００６４】
使用者は前記第２ボタン３２０によって、前記スイチング素子ＳＷをターン-オンさせる。この時、前記レーザーダイオード１００はレーザーを発生させる。さらに詳しくは、前記レーザーダイオード１００は可視光線レーザーを発生させる。
【００６５】
使用者は前記送信装置１０を使って、信号を入力することを願う画面上の位置(Ｘ、Ｙ)にレーザーを照査する。前記レーザーダイオード１００は、可視光線レーザーを発生させるために、使用者はレーザーが照査された位置(Ｘ、Ｙ)を視覚で識別することができる。
【００６６】
以後、使用者は前記第１ボタン３１０を使って、前記ドライバー２３０をターン-オンさせる。この時、前記レーザーダイオード１００は前記モジュレーションされたレーザー(ＭＬ)を発生させる。
【００６７】
前記センサーら４１０は、すなわち、前記フォトＴＦＴ４１０は前記モジュレーションされたレーザー(ＭＬ)をセンシングして、前記検出部５００に前記入力信号を入力する。
【００６８】
前記検出部５００は前記入力信号を検出して、前記モジュレーションされたレーザー(ＭＬ)が照査される位置を認識することができる。
【００６９】
これによって、使用者は前記送信装置１０を使って、前記表示装置２０の所望の位置(Ｘ、Ｙ)に遠隔で信号を入力することができる。
【００７０】
また、本発明の実施形態に従う遠隔信号入力システムは、前記モジュレーションされたレーザー(ＭＬ)を使用するために、外部光またはバックライトなどで出射される光による誤作動を減らすことができる。
【００７１】
図７は、本発明の他の実施形態に従う送信装置を示した回路図である。図８は、本発明の他の実施形態に従う液晶パネルのピクセルを示した平面図である。本実施形態では前で説明した実施形態を参照して、送信装置及びセンサーらに対して追加的に説明する。
【００７２】
図７を参照すれば、送信装置１０は第１レーザーダイオード１１０、第２レーザーダイオード１２０、第１駆動部２０１、第２駆動部２０２、第１ボタン３１０及び第２ボタン３２０を含む。
【００７３】
前記第１レーザーダイオード１１０は、赤外線レーザーを発生させる。前記第２レーザーダイオード１２０は可視光線レーザーを発生させる。
【００７４】
前記第１駆動部２０１は前記第１レーザーダイオード１１０を駆動して、前記第２駆動部２０２は前記第２レーザーダイオード１２０を駆動する。
【００７５】
前記第１駆動部２０１は前記第１レーザーダイオード１１０に電源を供給する第１電源部２１１、内部の基準で一定な周波数の第１クロック信号を生成する第１オシレーター２２１、前記第１クロック信号を基礎で第１トランジスター(ＴＲ１)を駆動する第１ドライバー２３１及び前記第１ドライバー２３１によってターン-オン及びターン-オフ動作を繰り返す第１トランジスター(ＴＲ１)を含む。
【００７６】
前記第１ボタン３１０は前記第１駆動部２０１をターン-オンまたはターン-オフさせることができる。さらに詳しくは、前記第１ボタン３１０は前記第１ドライバー２３１をターン-オンまたはターン-オフさせることができる。
【００７７】
前記第２駆動部２０２は前記第２レーザーダイオード１２０に電源を供給する第２電源部２１２、内部の基準で一定な周波数の第２クロック信号を生成する第２オシレーター２２２、前記第２クロック信号を基礎で第２トランジスター(ＴＲ２)を駆動する第２ドライバー２３２及び前記第２ドライバー２３２によってターン-オン及びターン-オフ動作を繰り返す第２トランジスター(ＴＲ２)を含む。
【００７８】
この時、前記第１電源部２１１及び前記第２電源部２１２は同一で、前記第１オシレーター２２１及び前記第２オシレーター２２２は同一であることがある。
【００７９】
前記第２ボタン３２０は前記第２駆動部２０２をターン-オンまたはターン-オフさせることができる。さらに詳しくは、前記第２ボタン３２０は前記第２ドライバー２３２をターン-オンまたはターン-オフさせることができる。
【００８０】
すなわち、前記送信装置１０はモジュレーションされた可視光線レーザー及びモジュレーションされた赤外線レーザーを生成することができる。
【００８１】
図８を参照すれば、表示パネル４００は第１センサー４１１及び第２センサー４１２を含む。前記第１センサー４１１は可視光線帯域の光をセンシングして、前記第２センサー４１２は赤外線帯域の光をセンシングする。
【００８２】
すなわち、前記第１センサー４１１は前記モジュレーションされた可視光線レーザーをセンシングして、前記第２センサー４１２は前記モジュレーションされた赤外線レーザーをセンシングする。
【００８３】
前記第１センサー４１１及び前記第２センサー４１２は、一つのピクセルＰにお互いに対応して形成されることができる。
【００８４】
前記モジュレーションされた可視光線レーザーによって前記第１センサー４１１が形成する第１入力信号及び前記モジュレーションされた可視光線レーザーによって前記第２センサー４１２が形成する第２入力信号は検出部５００に入力される。
【００８５】
前記検出部５００は前記第１入力信号及び前記第２入力信号が入力されたセンサーらの位置を検出することができる。
【００８６】
したがって、本発明の実施形態に従う遠隔信号入力システムは、ふたつ以上の信号を同時に前記表示装置２０に入力することができる。
【００８７】
例えば、前記モジュレーションされた可視光線レーザーを利用して、位置信号を前記表示装置２０に入力して、前記モジュレーションされた赤外線レーザーを利用して、前記表示装置２０を制御するための制御信号を入力することができる。
【００８８】
本実施形態で、信号光でモジュレーションされた可視光線レーザー及びモジュレーションされた赤外線レーザーが使用される。これとは違うように、周波数がお互いに違うモジュレーションされたレーザーが使用されることができる。
【００８９】
図９は本発明の他の実施形態に従う表示パネルの一断面を示した断面図である。本実施形態では、前で説明した実施形態を参照して、赤外線帯域パスフィルターに対して追加的に説明する。
【００９０】
表示パネル内側には赤外線帯域パスフィルター(infrared band pass filter、以下、ＩＲフィルター)４６０が配置される。この時、前記ＩＲフィルター４６０はセンサー上に配置される。さらに詳しくは、フォトＴＦＴ４１０上に配置されることができる。すなわち、前記ＩＲフィルター４６０は前記フォトＴＦＴ４１０に対応して配置される。
【００９１】
前記ＩＲフィルター４６０は、通過する光をフィルタリングして、赤外線帯域の光のみを通過させる。前記ＩＲフィルター４６０で使用されることができる物質の例としては、フッ化カルシウム(ＣａＦ2)またはアルミナ(Ａｌ2Ｏ3)などを挙げることができる。
【００９２】
したがって、送信装置１０から照査される可視光線帯域のレーザーは前記ＩＲフィルター４６０によって、赤外線帯域のレーザーだけ通過される。
【００９３】
すなわち、赤外線をセンシングするセンサーらを使って、可視光線レーザーをセンシングすることができる。
【００９４】
したがって、本発明の実施形態に従う表示装置２０は、赤外線をセンシングするセンサーらを使って、可視光線レーザー及び赤外線レーザーをすべてセンシングすることができる。
【００９５】
また、以上で実施形態に説明された特徴、構造、効果などは本発明の少なくとも一つの実施形態に含まれて、必ず一つの実施形態のみに限定されるものではない。延いては、各実施形態で例示された特徴、構造、効果などは実施形態が属する分野の通常の知識を有する者によって他の実施形態に対しても組合または変形されて実施可能である。したがって
、このような組合と変形に係る内容は、本発明の範囲に含まれることと解釈されなければならないであろう。
【００９６】
以上で実施形態を中心に説明したが、これは単に例示であるだけで本発明を限定するものではなくて、本発明が属する分野の通常の知識を有した者なら本実施形態の本質的な特性を脱しない範囲で以上に例示されないさまざまの変形と応用が可能であることが分かるであろう。例えば、実施形態に具体的に現われた各構成要素は、変形して実施することができるものである。そして、このような変形と応用に係る差異点は、添付された請求範囲で規定する本発明の範囲に含まれることと解釈されなければならないであろう。
【図１】
2011530852.tif 000003
【図２】
2011530852.tif 000004
【図３】
2011530852.tif 000005
【図４】
2011530852.tif 000006
【図５】
2011530852.tif 000007
【図６】
2011530852.tif 000008
【図７】
2011530852.tif 000009
【図８】
2011530852.tif 000010
【図９】
2011530852.tif 000011
【国際調査報告】
2011530852.tif 000012
2011530852.tif 000013
2011530852.tif 000014
2011530852.tif 000015